(57)【特許請求の範囲】
【請求項１】
シャワーハンガーに取付けられる取付部材と、シャワーヘッドを保持可能な保持部材とを備えたシャワーヘッド保持用アダプターにおいて、
前記取付部材には、手動操作に基づき、カム面のカム作用により前記シャワーハンガーに対して内方から外方へ押圧する押圧部材を設け、
前記押圧部材を前記取付部材の外周面から突出する方向に移動可能に設け、
回転操作されるねじ機構と、そのねじ機構の作用によって移動されるカム部材とを備え、前記押圧部材は前記カム部材のカム面に係合したシャワーヘッド保持用アダプター。
【請求項２】
前記ねじ機構は、ねじ軸に形成された雄ねじと、その雄ねじと螺合するように前記カム部材に形成された雌ねじとによって構成し、前記カム面はカム部材の外周面に形成し、前記ねじ軸の端部には回転操作される操作部を備えた請求項１に記載のシャワーヘッド保持用アダプター。
【請求項３】
筒状のアダプター軸を備え、前記ねじ軸及びカム部材を前記アダプター軸内に収容するとともに、前記押圧部材を前記アダプター軸の周壁の透孔内に設けた請求項２に記載のシャワーヘッド保持用アダプター。
【請求項４】
シャワーハンガーに取付けられる取付部材と、シャワーヘッドを保持可能な保持部材とを備えたシャワーヘッド保持用アダプターにおいて、
前記取付部材には、手動操作に基づき、カム面のカム作用により前記シャワーハンガーに対して内方から外方へ押圧する押圧部材を設け、
前記取付部材には雌ねじを設けるとともに、その雌ねじに雄ねじを螺合し、その雄ねじの先端には押圧部材を設け、その押圧部材には、前記カム面と手動操作可能な摘み部とを設けたシャワーヘッド保持用アダプター。
【請求項５】
前記カム面を球面によって形成した請求項４に記載のシャワーヘッド保持用アダプター。
【請求項６】
前記カム面を凹凸形状に形成した請求項４または５に記載のシャワーヘッド保持用アダプター。
【発明の詳細な説明】
【技術分野】
【０００１】
本発明は、シャワーヘッドを保持するためのシャワーハンガーに取付けて使用されるシャワーヘッド保持用アダプターに関する。
【背景技術】
【０００２】
一般に、シャワーヘッドは浴室壁面に設置された前記シャワーハンガーに保持される。
しかし、シャワーヘッドが別のシャワーヘッドに取換えられた場合、既設のシャワーハンガーに対して、取換え後の新規のシャワーヘッドのサイズや形状が合致せずに、新規のシャワーヘッドを適切に保持できないおそれがあった。このため、既設のシャワーハンガーを新規のシャワーヘッドに合うシャワーハンガーと交換することが考えられる。ところが、この場合は、交換する手間がかかる上に、既設のシャワーハンガー取付け用のねじが新規シャワーハンガーの取付け用として適合しないために、新規シャワーハンガーの取付けを行い得なかったり、取付け状態が不安定になったりするおそれがある。
【０００３】
従来、特許文献１及び特許文献２に記載されているようなアダプターが提案されている。
これらの特許文献１，２に記載のアダプターは、既設のシャワーハンガーに取付けられる部分と、シャワーヘッドを保持する部分とを備えている。
【先行技術文献】
【特許文献】
【０００４】
【特許文献１】特開２００４−２７８１９４号公報
【特許文献２】特開２００５−１８８１７２号公報
【発明の概要】
【発明が解決しようとする課題】
【０００５】
特許文献１及び特許文献２に記載されたアダプターは、シャワーヘッドの取換えに対処することを意図したものではないが、これらのアダプターとして、サイズ等が異なるものを複数用意して、適当なものを選択することにより、シャワーハンガーを交換しなくても、シャワーヘッドの取換えに対応することが可能になると思われる。この場合、特許文献１及び特許文献２に記載のアダプターは、シャワーハンガーと、アダプターのシャワーハンガーへの取付部分との間に形状誤差が生じていると、アダプターが既設のシャワーハンガーに対してガタ付きなく適切に取付けられず、シャワーヘッドの保持が不安定になるおそれがある。
【０００６】
ところで、特許文献１の明細書の段落００４７には、斜面の頂部がねじの作用によってシャワーハンガーの先端部間に食い込むことにより、アダプターがシャワーハンガーに固定される旨の記載が存在する。しかしながら、特許文献１の構成において、前記斜面の頂部は、シャワーハンガーの一対のアーム部間の開放部に位置しているため、この斜面の頂部がシャワーハンガーの先端部間に食い込むことはなく、斜面の中間部がアーム部の下面に当たる程度である。従って、特許文献１に記載のアダプターでは、各種のシャワーヘッドを適切に保持することは難しい。
【０００７】
本発明の目的は、シャワーヘッドが取換えられても、そのシャワーヘッドが既設のシャワーハンガーに安定して保持することができるようにしたシャワーヘッド保持用アダプターを提供することにある。
【課題を解決するための手段】
【０００８】
上記の目的を達成するために、本発明のシャワーヘッド保持用アダプターにおいては、既設のシャワーハンガーに取付けられる取付部材と、シャワーヘッドを保持可能な保持部材とを備えたシャワーヘッド保持用アダプターにおいて、前記取付部材には、手動操作に基づき、カム面のカム作用により前記シャワーハンガーに対して内方から外方へ向かって圧接される押圧部材を備えたことを特徴とする。
【０００９】
このように構成したシャワーヘッド保持用アダプターにおいては、カム作用により、押圧部材がシャワーハンガーの内側の部分に圧接される。このため、シャワーハンガーとシャワーヘッド保持用アダプターとの間にサイズや形状の差が生じていても、既設のハンガーを交換することなく、シャワーヘッド保持用アダプターをシャワーハンガーにガタ付きなく取付けることができて、シャワーヘッドをシャワーヘッド保持用アダプターに安定状態で保持できる。
【発明の効果】
【００１０】
本発明によれば、シャワーハンガーを交換したりすることなく、そのシャワーハンガーを利用して形状の異なるシャワーヘッドを安定して保持できる。
【図面の簡単な説明】
【００１１】
【図１】第１実施形態のシャワーヘッド保持用アダプターの使用状態を示す斜視図。
【図２】第１実施形態のシャワーヘッド保持用アダプターの使用状態を示す側面図。
【図３】第１実施形態のシャワーヘッド保持用アダプターの使用状態を示す平面図。
【図４】第１実施形態のシャワーヘッド保持用アダプターの斜視図。
【図５】第１実施形態のシャワーヘッド保持用アダプターを上下反転させて示す斜視図。
【図６】第１実施形態のシャワーヘッド保持用アダプターの分解斜視図。
【図７】第１実施形態のシャワーヘッド保持用アダプターの縦断面図。
【図８】第１実施形態のシャワーヘッド保持用アダプターの横断面図。
【図９】押圧部材の非圧接状態を示す第１実施形態のシャワーヘッド保持用アダプターの縦断面図。
【図１０】押圧部材の圧接状態を示す第１実施形態のシャワーヘッド保持用アダプターの縦断面図。
【図１１】第２実施形態のシャワーヘッド保持用アダプターの使用状態を示す斜視図。
【図１２】第２実施形態のシャワーヘッド保持用アダプターの斜視図。
【図１３】第２実施形態のシャワーヘッド保持用アダプター及びシャワーヘッド保持用アダプターセットを示す分解斜視図。
【図１４】第２実施形態のシャワーヘッド保持用アダプターの断面図。
【図１５】第２実施形態のシャワーヘッド保持用アダプターの一部破断側面図。
【図１６】第２実施形態のシャワーヘッド保持用アダプターの使用状態を示す断面図。
【発明を実施するための形態】
【００１２】
（第１実施形態）
以下に、本発明を具体化した第１実施形態を図１〜図１０の図面に従って説明する。
図１〜図３に示すように、浴室の壁面３００にはシャワーハンガー（以下、単にハンガーという）２００が固定され、その左右のアーム部２０１間にはハンガー部２０２が形成されている。このハンガー部２０２に本実施形態のシャワーヘッド保持用アダプター（以下、単にアダプターという）２０が取付けられる。
【００１３】
そこで、以下にアダプター２０の構成を説明する。
図４〜図６に示すように、アダプターフレーム（以下、単にフレームという）２１の後部（前記ハンガー２００及び壁面３００側）の下端及び上端にはそれぞれ下部アーム２２及び上部アーム２３が突出形成され、上部アーム２３はハンガー２００の左右のアーム部２０１の上面に対向される。なお、図５はアダプター２０が上下反転されて描かれている。
【００１４】
図５及び図６に示すように、下部アーム２２には有底の円筒部２４が形成されており、その底板２５には、透孔２６が形成されている。円筒部２４には後方に向かう開放部２７が形成されている。円筒部２４の上部には内方へ向かう張出し部２８が形成されている。
【００１５】
前記上部アーム２３には装着孔２９が透設されている。装着孔２９の下端位置には内方へ向かって張出すフランジ３０が形成されている。上部アーム２３の後端下部には開放部３１が形成されており、この開放部３１により前記フランジ３０の後端部が切り欠かれるとともに、装着孔２９が後方に向かって開放されている。装着孔２９の内周面の左右位置には一対の凹部３２が形成されている。
【００１６】
前記上下のアーム２２，２３間にはアダプター軸４１が支持されている。アダプター軸４１とフレーム２１とにより取付部材が構成されている。以下に、このアダプター軸４１の構成を説明する。
【００１７】
図６及び図７，図９及び図１０に示すように、アダプター軸４１の周壁は外筒４２によって形成されており、この外筒４２の下端には前記下部アーム２２の後端の開放部２７から円筒部２４内に嵌合されたフランジ４３と、前記張出し部２８が嵌合された首部４４が形成されている。前記外筒４２の上端の左右位置には一対の顎状の嵌合部４５が形成されており、この嵌合部４５が前記上部アーム２３の開放部３１から装着孔２９内に挟入されて、嵌合部４５と外筒４２との間に前記フランジ３０が嵌合されている。そして、外筒４２に対して前記フレーム２１が横方向に相対回転可能になっている。
【００１８】
図６及び図７に示すように、外筒４２の上端には蓋部材４６が相対回転可能に嵌合され、その左右両側には前記凹部３２に嵌入されてフレーム２１に対する蓋部材４６の回転を阻止する突起４７が形成されている（図４参照）。蓋部材４６の下部外周には軟質エラストマー等のゴム材よりなるリング４８が巻着されており、このリング４８は蓋部材４６に対する外筒４２の相対回転に対して抵抗力を生じさせるようになっている。蓋部材４６の下面には一対の突部４０が形成されており、前記突起４７が凹部３２に嵌合した状態において、一方の突部４０が前記開放部３１内に位置される（図５参照）。そして、リング４８の交換等のために蓋部材４６を外筒４２から外す場合は、この突部４０が指先等で押し上げられる。
【００１９】
図７，図９及び図１０に示すように、前記外筒４２の内部の下部スリーブ５３にはねじ軸５１がその下端部において自身の軸線を中心に回転可能に挿入されており、このねじ軸５１の下端部は前記透孔２６に嵌合されている。ねじ軸５１の下端面には六角レンチ（図示しない）を挿入するための六角孔５８が形成されている。ねじ軸５１の下端部にはフランジ５２が形成されており、このフランジ５２は前記下部スリーブ５３上に設置されていて、ねじ軸５１の下方移動が阻止される。ねじ軸５１の上端には段差５４を介して小径部５５が形成されており、段差５４が前記蓋部材４６の上部スリーブ５６の下端に当接していて、ねじ軸５１の上方移動が阻止される。前記フランジ５２と段差５４との間において、ねじ軸５１の外周には雄ねじ５７が刻設されている。
【００２０】
図６及び図７に示すように、前記フランジ５２の上部において、ねじ軸５１にはカム部材６１が外嵌されており、カム部材６１の内周の雌ねじ６２がねじ軸５１の雄ねじ５７に螺合されている。この雄ねじ５７と雌ねじ６２とによってねじ機構が構成されている。また、このねじ機構とカム部材６１とによって作動機構が構成されている。カム部材６１の外周面には１８０度の間隔を隔ててガイド溝６３が形成され、このガイド溝６３に外筒４２の内周の突起５０が嵌っていて、カム部材６１の回転が阻止される。従って、ねじ軸５１の回転によるねじ作用によってカム部材６１は回転されることなく上下動される。前記ガイド溝６３間の２箇所の位置において、カム部材６１の外周面にはそれぞれ一対の区画壁６４が形成されており、各対の区画壁６４間において、カム部材６１の外周面には下方側ほど後退するカム面６６が形成されている。カム部材６１の下端には前記フランジ４３と対向するフランジ６８が形成されている。
【００２１】
図６及び図８に示すように、前記アダプター軸４１の周壁には１８０度の間隔を隔てて一対の透孔７１が形成され、その上下内辺には案内突起７２が形成されている。透孔７１内には押圧部材７３が同透孔７１に対して出没する方向に移動可能に設けられている。この押圧部材７３は、硬質樹脂製の台座７４と、その台座７４の外側面に位置し、柔軟性及び摩擦係数の高いゴム材よりなる圧接体７５とにより構成され、台座７４の孔７６に圧接体７５の突起７７が嵌合されて両者が固定されている。台座７４の上下両端には、前記透孔７１の案内突起７２によって案内される案内溝８１が形成されている。
【００２２】
台座７４には前記カム面６６に係合する係合部７８が形成されるとともに、アダプター軸４１の内面に対して掛け止め可能にした爪部７９が形成されている。この爪部７９により押圧部材７３が透孔７１内から外側に脱落することが阻止される。前記係合部７８と爪部７９との間には前記区画壁６４が移動可能に挿入される挿入溝８０が形成されている。
【００２３】
図６及び図８に示すように、前記フレーム２１の前部には左右一対の支持板９１が突出形成されており、支持板９１を含むフレーム２１の奥部の左右位置にはそれぞれ保持溝９２が形成されている。保持溝９２の前方において両支持板９１の内面には支軸９３が一体形成されており、この支軸９３には保持溝９２と対向する切り欠き９４が形成されている。支持板９１の前縁内面には各一対のガイド突起９５が前記支軸９３を中心とした円上に形成されている。
【００２４】
前記支持板９１間には横円筒部９７と縦円筒部９８とよりなる保持部材９６が配置されており、この保持部材９６は縦円筒部９８の両側の軸９９において前記支軸９３に上下に回転可能に支持されている。軸９９には切り欠き１０１が形成されるとともに、軸９９内において保持部材９６には受け孔１０２が形成されている。図６及び図７に示すように、保持部材９６の後面には全体として鋸刃状の複数の掛け止め凹部１００が上下方向に配列され、その上下両端にはストッパ部１０７が形成されている。
【００２５】
図６〜図８に示すように、前記受け孔１０２には線ばねよりなるばね部材１０４の両端が受けられており、このばね部材１０４はその両端折曲げ部において前記保持溝９２に保持されるとともに、前記支軸９３の切り欠き９４内に位置している。ばね部材１０４の長さ方向中間部が前記掛け止め凹部１００及びストッパ部１０７の回転軌跡内に位置している。従って、保持部材９６が支軸９３を中心に上下に回転された場合、ばね部材１０４にいずれかの掛け止め凹部１００が掛け止めされて、保持部材９６の回転角度位置が弾性的に保たれる。また、上下のストッパ部１０７によって保持部材９６の上下の回転範囲が規制される。
【００２６】
なお、保持部材９６の上下回転が前記ガイド突起９５によってガイドされるとともに、前記軸９９に切り欠き１０１が形成されているため、この切り欠き１０１によって保持部材９６の上下方向の回転が許容される。
【００２７】
保持部材９６の前部には、上下方向及び前方に開口した保持部１０８が形成されており、この保持部１０８にシャワーヘッド２０３が着脱可能に保持される。
次に、以上のように構成されたアダプター２０の作用を説明する。
【００２８】
まず、本実施形態のアダプター２０を既設のハンガー２００に取付ける場合は、六角レンチを用いて、ねじ軸５１の下端の六角孔５８に対する回転操作を行ない、ねじの作用により、図９に示すように、カム部材６１を上方側に移動させ、押圧部材７３に対してカム面６６を後退させて、押圧部材７３が透孔７１の内方に移動可能な状態にする。
【００２９】
この状態において、アダプター軸４１を既設のハンガー２００のハンガー部２０２内にその上方から挿入するように収容し、上部アーム２３をシャワーハンガー２００の上面に位置させる。そして、アダプター軸４１を回転操作して、図１０に示すように、ねじの作用によりカム部材６１を引き下げる。このようにすれば、カム面６６が下降して、そのカム作用により、押圧部材７３が外方に突出移動される。このため、一対の押圧部材７３の外表面のゴム材よりなる圧接体７５が前記ハンガー部２０２の内面に圧接される。従って、アダプター２０がハンガー２００に対して取付け状態で固定される。
【００３０】
この状態で、アダプター２０の前部側を左右方向に回せば、そのアダプター２０のフレーム２１がリング４８による抵抗を受けながら左右方向に位置調節され、左右方向の角度が任意に設定される。また、保持部材９６を上下方向に回転させれば、ばね部材１０４がいずれかの掛け止め凹部１００にクリック感をともないながら弾性的に掛け止めされて、上下角度がクリック感をともないながら任意に調節される。従って、保持部材９６の保持部１０８にシャワーヘッド２０３を任意の左右方向及び上下方向の角度で保持することができる。なお、保持部材９６の上下方向の角度調節範囲はストッパ部１０７によって規制されるため、保持部１０８に保持されたシャワーヘッド２０３が下向きになりすぎて保持部１０８から脱落したり、上向きになりすぎて壁面３００と衝突したりすることを防止できる。
【００３１】
本実施形態においては、以下の効果を得ることができる。
（１）既設のハンガー２００のハンガー部２０２に取付けられるアダプター軸４１にその外周面からの突出方向に移動可能な押圧部材７３を設けるとともに、その押圧部材７３を前記ハンガー部２０２の内側面に押圧させるねじ軸５１が設けられているため、ねじ軸５１を回転操作することにより、押圧部材７３がハンガー部２０２の内側面に圧接される。
【００３２】
すなわち、アダプター２０のアダプター軸４１をハンガー２００のハンガー部２０２内に収容して、ねじ軸５１を回せば、押圧部材７３の圧接体７５による圧接作用により、アダプター２０が既設のハンガー２００に対してその形状や大きさに左右されることなく、形状誤差が吸収されてガタ付き無く固定できる。従って、シャワーヘッド２０３を既設のものから別のものに取り換えても、シャワーヘッド２０３に合ったアダプター２０を用いることにより、ハンガー２００を交換することなく、シャワーヘッド２０３をアダプター２０を介してハンガー２００に適切に保持できる。
【００３３】
（２）押圧部材７３は摩擦係数が高く、柔軟なゴム材よりなる圧接体７５においてハンガー２００の内面に圧接される。このため、ハンガー２００に対する圧接体７５の圧接状態において、圧接体７５がハンガー２００上を移動することを防止できるとともに、ハンガー２００や押圧部材７３に部分的な過大集中応力が生じることを防止できる。従って、アダプター２０がハンガー２００に対する取付け状態において移動したり、圧接体７５やハンガー２００に傷が付いたりすることを防止できる。
【００３４】
また、圧接体７５が圧接状態で自身の弾性に抗して収縮されるため、その収縮による反発力が雄ねじ５７と雌ねじ６２との螺合部に伝達される。従って、その螺合部の螺合状態が自然に緩むことが抑えられ、アダプター２０の固定状態を維持できる。
【００３５】
（３）押圧部材７３は、カム部材６１のカム面６６の作用によって押圧動作される。このため、カム作用を利用して小さな力で押圧部材７３を圧接状態にすることができる。
（４）しかも、押圧部材７３は雄ねじ５７と雌ねじ６２との螺合によって圧接動作されるため、ねじの作用を利用してさらに小さな力で押圧部材７３を圧接状態にすることができる。
【００３６】
（５）ねじ軸５１の下端部に六角レンチのための六角孔５８が設けられているため、六角レンチを用いてねじ軸５１を簡単に回すことができる。なお、六角孔５８に代えて、マイナスまたはプラスの溝を設ければ、ドライバでねじ軸５１を回すことができる。
【００３７】
（６）ねじ軸５１及びカム部材６１がアダプター軸４１の外筒４２内に収容されているため、外観を良好にできる。
（７）図３に実線及び２点鎖線で示すように、シャワーヘッド２０３を保持するための保持部材９６の横方向の角度を調節できるため、浴室の構造やハンガー２００の設置位置等に応じて保持状態のシャワーヘッド２０３の横方向の向きを調節できる。従って、シャワーヘッド２０３を使用しやすい向きに保持できる。
【００３８】
（８）保持部材９６の縦方向の角度を調節できるため、図１，図２に２点鎖線で示すように、シャワーヘッド２０３を上下方向の適切な角度に保持できて、例えば、シャワーヘッド２０３をアダプター２０に保持した状態において頭髪を洗浄する場合において便利である。そして、保持部材９６の縦方向の角度が調節されたときには、掛け止め凹部１００とばね部材１０４とによって保持部材９６が調節位置で保持されるとともに、角度変更時にクリック感が生じるため、調節された縦方向の角度を容易に認識できる。
【００３９】
（９）アダプター軸４１の部分から前方に延びる上部アーム２３がハンガー２００の上面に対向されるため、たとえ押圧部材７３の圧接体７５による圧接状態が解消されても、上部アーム２３がハンガー２００の上面に当たることで、アダプター２０及びシャワーヘッド２０３がハンガー２００から落下することを防止できる。
【００４０】
（第２実施形態）
次に、本発明の第２実施形態を具体化したシャワーヘッド保持用アダプター及びシャワーヘッド保持用アダプターセットを図１１〜図１６の図面に基づいて説明する。
【００４１】
第２実施形態のアダプター１１０において、図１１〜図１３に示すように、アダプターフレーム１１１には、その後面側からカバー部材１６１が被せられて、ねじ１３２により固定されている。図１３及び図１５に示すように、アダプターフレーム１１１の左右両側には位置決め溝１３９が形成され、カバー部材１６１の内面には左右各一対の突条１６２が形成され、この突条１６２が位置決め溝１３９に嵌合されて、カバー部材１６１がアダプターフレーム１１１に位置決めされている。このカバー部材１６１により、アダプターフレーム１１１の上下両面と両側面とがカバーされている。
【００４２】
前記アダプターフレーム１１１の後面には、取付部材１３３が前記ねじ１３２により取付けられている。その取付部材１３３の後端には、輪郭が半円筒形状をなす取付部１１２が形成され、その取付部１１２の周面には複数の凹部１１４が形成されている。取付部１１２の上部側には、図１１及び図１２に示すように、シャワーハンガー２００の上面に対する当接面としてのフランジ１２６が形成されている。
【００４３】
図１２及び図１３に示すように、このフランジ１２６の下面位置から取付部１１２の下面にかけて取付部１１２の外周には、取付部１１２と同様に半円筒形状をなす緩衝部材としてのホールドグリップ１１３が、前記取付部１１２の複数の凹部１１４と、同ホールドグリップ１１３の複数の凸部１１５との嵌合関係を介して着脱可能に取付けられている。ホールドグリップ１１３は、シャワーハンガー２００より軟質のエラストマー等のゴム材によって構成されている。そして、図１５及び図１６に示すように、取付部１１２がハンガー部２０２内に挿入され、この状態でホールドグリップ１１３がハンガー部２０２の内側面に当接されて、緩衝作用を発揮する。
【００４４】
前記ホールドグリップ１１３は、厚さ，硬さ，形状等の異なるものが複数種類用意されており、シャワーハンガー２００の大きさや形状に応じて適宜に選択されて使用される。ホールドグリップ１１３には、その種類を表すためのマーク１２７が付されている。そして、アダプター１１０と複数のホールドグリップ１１３とにより、シャワーヘッド保持用アダプターセットが構成されている。
【００４５】
図１３及び図１４に示すように、取付部材１３３の内部の収容部１１６には、雌ねじを構成するナット１１７が回転不能に収容されている。収容部１１６の内底面とナット１１７との間には、ナット１１７のがたつき防止のための波座金１１８が介在されている。
【００４６】
取付部材１３３の内部には、アダプターフレーム１１１の後記突出部１３５を挿入したときの位置決めと、取付部材１３３の強度の補強とのために、複数のリブ１２９が形成されている。
【００４７】
図１４に示すように、取付部材１３３の底部には、挿通孔１１９が形成され、ホールドグリップ１１３の底部には、挿通溝１２８が形成され、ホールドグリップ１１３は、挿通溝１２８が前記挿通孔１１９に重なるように取り付けられている。前記挿通溝１２８及び挿通孔１１９には、雄ねじとしてのボルト１２１が下側から挿通されて、そのボルト１２１が前記ナット１１７に螺入されている。ボルト１２１の下端には、ほぼボール形状の押圧部材１２２が固着されている。この押圧部材１２２の上半部には、カム面としての半球面よりなる球面部１２３が形成されており、この球面部１２３には、等間隔に配置された複数の縦方向に延びるリブ１２４が形成されている。従って、球面部１２３は、リブ１２４と、隣接するリブ１２４間の凹部とにより凹凸形状に形成されている。押圧部材１２２の下半部には、球面部１２３の最大径部より小径の摘み部１２５が形成されている。
【００４８】
そして、図１５及び図１６に示すように、ボルト１２１をナット１１７にねじ込むことにより、前記球面部１２３がシャワーハンガー２００における両アーム部２０１の下部内縁に圧接される。
【００４９】
図１３及び図１４に示すように、アダプターフレーム１１１の基板部１３４の後面には、肉厚部を構成する突出部１３５が一体形成され、その先端の段部１３６が前記取付部材１３３の収容部１１６に収容されている。段部１３６は、ナット１１７の上面及び前面に対向して、ナット１１７の収容部１１６から前方への抜け出しを防止するようになっている。
【００５０】
図１３に示すように、アダプターフレーム１１１の基板部１３４の前面の両端には、それぞれ側板部１３７が前方に向かって形成され、そのため、アダプターフレーム１１１が全体としてコの字状に形成され、その側板部１３７には、軸孔１３８がそれぞれ透設されている。
【００５１】
図１３及び図１４に示すように、前記基板部１３４の前面には、前記両軸孔１３８の中心間の軸線αを中心軸とした円筒面上において横（水平）方向に延びる複数（実施形態では７条）の平行な凹部１４０が形成されている。そして、前記突出部１３５は、凹部１４０の形成域の裏面側に配置されている。
【００５２】
図１３〜図１５に示すように、前記アダプターフレーム１１１の側板部１３７の両軸孔１３８には、保持部材１５１の両端に形成された軸１５２が係合されて、図１４及び図１５に２点鎖線で示すように、その保持部材１５１が上下方向（垂直方向）に回転可能に支持されている。保持部材１５１の両端面には、側板部１３７と係合して保持部材１５１の回転範囲を規制するための規制壁１５３が形成されている。保持部材１５１には、シャワーヘッド２０３を保持するための縦円筒部１５４が形成されている。縦円筒部１５４の後面には、エラストマー等のゴム材よりなる緩衝材１５５が取付けられている。
【００５３】
図１４に示すように、前記保持部材１５１の後面には、凹部１５６が形成されており、この凹部１５６内には爪部材１５７が前後動可能に収容されている。爪部材１５７の後面には横（水平）方向に平行に延びる複数（実施形態では３条）の爪１５８が形成されている。爪部材１５７と保持部材１５１との間には、スプリング１５９が介在されており、このスプリング１５９の付勢力により、前記複数の爪１５８が前記複数の凹部１４０にそれぞれ当接して、保持部材１５１が上下方向（垂直方向）の選択されたそれぞれの回転位置において弾性的に保持される。そして、保持部材１５１が回転することにより、複数の凹部１４０に複数の爪１５８が次々と当接するため、クリック作用が発揮される。従って、複数の凹部１４０と複数の爪１５８とによりクリック手段が構成されている。
【００５４】
次に、以上のように構成された本実施形態のシャワーヘッド保持用アダプター１１０及びシャワーヘッド保持用アダプターセットの作用を説明する。
本実施形態のアダプター１１０をシャワーハンガー２００に取付ける場合には、まず、シャワーハンガー２００のサイズや形状に合わせて、適当な厚さ等を有するホールドグリップ１１３が選択されて、取付部材１３３の取付部１１２に取付けられる。
【００５５】
次いで、ボルト１２１が外された状態において、ホールドグリップ１１３が取り付けられた取付部材１３３の取付部１１２をシャワーハンガー２００のアーム部２０１間に上方から挿入する。このようにすれば、シャワーハンガー２００に適合した形状のホールドグリップ１１３の弾性変形により、取付部１１２がシャワーハンガー２００にガタ付きなくホールドされる。
【００５６】
この状態で、押圧部材１２２の摘み部１２５を指先で摘んで回転させることにより、ホールドグリップ１１３の挿通溝１２８及び取付部材１３３の挿通孔１１９からナット１１７内にボルト１２１を螺入する。このようにすれば、手動操作に基づくねじの作用により、押圧部材１２２が上昇されて、その上部側の球面部１２３がカム作用によりシャワーハンガー２００の両アーム部２０１の内側に入り込んで、両アーム部２０１の下部内縁に圧接され、両アーム部２０１が内側から外側に向かって押圧される（図１６参照）。これにより、取付部材１３３のフランジ１２６がシャワーハンガー２００の上面に当接され、このフランジ１２６と押圧部材１２２とによりシャワーハンガー２００が上下から挟持される。
【００５７】
このため、この球面部１２３が両アーム部２０１の下部内縁間に対して挟入状態となって、押圧部材１２２が緩み止めされるとともに、アダプター１１０がシャワーハンガー２００に強固に固定される。そして、この場合、球面部１２３の下部側がリブ１２４によって構成されているため、リブ１２４のエッジ部が両アーム部２０１に圧接されて、固定状態がさらに強固になり、押圧部材１２２が適切に緩み止めされる。
【００５８】
この状態において、アダプター１１０の保持部材１５１の縦円筒部１５４にシャワーヘッド２０３を掛けることができる。このとき、縦円筒部１５４の内側面には緩衝材１５５が設けられているため、シャワーヘッド２０３を緩衝作用をともないながら受けることができる。そして、シャワーハンガー２００にアダプター１１０を介してシャワーヘッド２０３を保持した状態において保持部材１５１の縦（垂直）方向の角度をクリック感とともに調節できて、シャワーヘッド２０３の上下の向きが変更され、頭髪の洗浄等に便利である。
【００５９】
そして、本実施形態では、以下の効果を得ることができる。
（１０）本実施形態では、シャワーハンガー２００にアダプター１１０を固定するための構成として、シャワーハンガー２００に圧接される押圧部材１２２を有するボルト１２１を設けただけであるから、構成が簡単である。
【００６０】
（１１）押圧部材１２２の球面部１２３がシャワーハンガー２００の両アーム部２０１間に挟入されて固定されるため、押圧部材１２２の強固な固定状態を得ることができる。従って、アダプター１１０をハンガー２００に対して安定状態で取付けることができ、シャワーヘッド２０３をアダプター１１０に適切に掛けることができる。
【００６１】
（１２）押圧部材１２２の球面部１２３に凹凸を形成するリブ１２４が形成されているため、そのリブ１２４のエッジが両アーム部２０１に圧接される。このため、さらに強固な固定状態を得ることができるとともに、押圧部材１２２を緩み止め状態にすることができる。
【００６２】
（１３）押圧部材１２２の下部側の摘み部１２５が小径に形成されているため、押圧部材１２２を強い力で回すことには困難性がある。このため、両アーム部２０１に対する押圧部材１２２の押圧力が過大になることを防止できて、押圧部材１２２が両アーム部２０１に対してロック状態で当接するような状態を回避できる。
【００６３】
（１４）カム面が球面部１２３によって構成されているため、球面部１２３が両アーム部２０１間に入り込むにつれて、両アーム部２０１と球面部１２３との当接角度が小さくなり、言い換えれば、両アーム部２０１及び球面部１２３の双方の当接面が平行に近づく。従って、球面部１２３が両アーム部２０１間に入り込む方向への力が作用しても、球面部１２３によって両アーム部２０１に無理な力が加えられることはない。このため、球面部１２３が両アーム部２０１に対して必要以上に強く押圧されることを回避できるとともに、両アーム部２０１及び球面部１２３の接触面積が広くなり、押圧部材１２２の緩み止めを図ることができる。
【００６４】
（１５）アダプターフレーム１１１のクリック手段を構成する凹部１４０の裏面側には、肉厚部としての突出部１３５が形成されているため、この凹部１４０の部分の剛性が向上する。従って、基板部１３４の凹部１４０の部分の変形を抑制できて、保持部材１５１の回転にともなう爪部材１５７の爪１５８との間におけるクリック感を適切に発生させることができるとともに、保持部材１５１を所要の回転角度位置において適切に保持することができる。
【００６５】
（１６）厚み，硬さ，形状等の異なる複数種類のホールドグリップ１１３が用意されているため、適切な種類のホールドグリップ１１３を選択することにより、ハンガー２００やアダプター１１０に無理な力が作用したり、両者間にガタ付きが生じたりすることはない。このため、アダプター１１０をサイズや形が適合しなくてもハンガー２００に対して適切に支持させることができる。
【００６６】
（変更例）
なお、本発明は前記実施形態に限定されるものではなく、以下のような態様で具体化することも可能である。
【００６７】
・第１実施形態において、操作部としての六角孔５８をねじ軸５１の上端に設けること。
・第１実施形態において、操作部として六角孔５８に代えて、ねじ軸５１の端部に手動操作可能な摘みを設けること。
【００６８】
・第１実施形態において、押圧部材７３の数を１または３以上にすること。
・第１実施形態では、押圧部材７３を、第２実施形態では、ホールドグリップ１１３及び緩衝材１５５をそれぞれゴム材によって構成したが、ゴム材に代えて押圧部材７３を軟質のウレタン，軟質のアクリル等の軟質で、適度の弾力性を有する合成樹脂によって構成すること。
【００６９】
・第１実施形態において、例えば、アダプター軸４１の外筒４２及び蓋部材４６の一方に小さな凹凸を連続的に形成するとともに、他方に前記凹凸に係合するばねを設ける。そして、支持板９１及び保持部材９６の横方向の角度を調節したときに、凹凸とばねとによって支持板９１及び保持部材９６が調節位置で保持されるとともに、角度変更にともなってクリック感が生じるようにすること。このようにすれば、調節された横方向の角度で支持板９１及び保持部材９６を安定保持できるとともに、その角度を容易に認識できる。
【００７０】
・第１実施形態において、押圧部材７３やカム部材６１側からの力によってねじ軸５１が回転されることを防止する手段を設けること。このためには、例えば、アダプター軸４１の外筒４２の内周とねじ軸５１の外周との間にラチェット機構や、ワンウェイクラッチ機構等のロック機構が設けられる。このように構成すれば、ハンガー２００のハンガー部２０２の内側面に対する押圧部材７３による押圧状態が自然に緩むことを防止できる。
【００７１】
・第２実施形態において、ボルト１２１及び押圧部材１２２を上下逆に設けること。すなわち、押圧部材１２２がハンガー２００の両アーム部２０１の上部内縁に押圧されるように構成すること。
【００７２】
・第２実施形態において、押圧部材１２２の凹凸を形成するリブ１２４に代えて、球面部１２３にローレットやシボ加工等によって凹凸を形成すること。
・第２実施形態において、カム面としての球面部１２３に代えて、円錐面を形成すること。
【００７３】
・第２実施形態においては、押圧部材１２２に摘み部１２５を設けて押圧部材１２２を指先で摘んで回転操作するようにしたが、押圧部材１２２にドライバ溝を設けて、押圧部材１２２をドライバで回転操作するように構成すること。
【００７４】
（他の技術的思想）
前記実施形態から把握される技術的思想は以下の通りである。
（Ａ）前記保持部材の横方向の角度を変更可能にした請求項１〜４のうちのいずれか一項に記載のシャワーヘッド保持用アダプター。
【００７５】
（Ｂ）前記保持部材の縦方向の角度を変更可能にした請求項１〜４，前記技術的思想（Ａ）項のうちのいずれか一項に記載のシャワーヘッド保持用アダプター。
（Ｃ）前記保持部材を前記取付部材から延びるアームの先端部に設け、前記アームをシャワーハンガーの上面に対向させた請求項１〜４，前記技術的思想（Ａ）項，（Ｂ）項のうちのいずれか一項に記載のシャワーヘッド保持用アダプター。
【００７６】
（Ｄ）前記押圧部材の前記摘み部を前記カム面より小径にした請求項６〜８のうちのいずれか一項に記載のシャワーヘッド保持用アダプター。
（Ｅ）前記取付部材には、シャワーハンガーの上面に当接可能な当接面を設けた請求項６〜８，前記技術的思想（Ｄ）項のうちのいずれか一項に記載のシャワーヘッド保持用アダプター。
【００７７】
（Ｆ）前記保持部材の縦方向の角度を変更可能にした請求項６〜８，前記技術的思想（Ｄ）項，（Ｅ）項のうちのいずれか一項に記載のシャワーヘッド保持用アダプター。
（Ｇ）前記取付部材と保持部材との間には、保持部材の角度変更にともなってクリック感を発生するためのクリック手段を設けるとともに、そのクリック手段の裏面側には肉厚部を形成した前記技術的思想（Ｆ）項に記載のシャワーヘッド保持用アダプター。
【００７８】
（Ｈ）前記取付部材には、シャワーハンガーの内周面に当接可能な緩衝部材を設けた請求項６〜８，前記技術的思想（Ｄ）〜（Ｇ）項のうちのいずれか一項に記載のシャワーヘッド保持用アダプター。
【００７９】
（Ｉ）請求項６〜８，前記技術的思想（Ｄ）〜（Ｈ）項のうちのいずれか一項に記載のシャワーヘッド保持用アダプターと、前記取付部材に対して着脱可能であって、その取付部材に装着された状態でシャワーハンガーの内側に当接可能にした複数の緩衝部材とを備え、各緩衝部材は厚さ，硬さ，形状のうちの少なくともひとつが異なるシャワーヘッド保持用アダプターセット。
【符号の説明】
【００８０】
２０…シャワーヘッド保持用アダプター、２１…フレーム、２２…下部アーム、２３…上部アーム、２６…透孔、４１…アダプター軸、５１…ねじ軸、５７…雄ねじ、５８…六角孔、６１…カム部材、６２…雌ねじ、６６…カム面、７１…透孔、７３…押圧部材、７５…圧接体、９６…保持部材、１０８…保持部、１１０…シャワーヘッド保持用アダプター、１２２…押圧部材、１２５…摘み部、１３３…取付部材、１５１…保持部材。
【図１】
0006761660.tif 000002
【図２】
0006761660.tif 000003
【図３】
0006761660.tif 000004
【図４】
0006761660.tif 000005
【図５】
0006761660.tif 000006
【図６】
0006761660.tif 000007
【図７】
0006761660.tif 000008
【図８】
0006761660.tif 000009
【図９】
0006761660.tif 000010
【図１０】
0006761660.tif 000011
【図１１】
0006761660.tif 000012
【図１２】
0006761660.tif 000013
【図１３】
0006761660.tif 000014
【図１４】
0006761660.tif 000015
【図１５】
0006761660.tif 000016
【図１６】
0006761660.tif 000017